(57)【要約】【課題】本発明は、焼付塗装工程後に、硬化した熱硬化型接着樹脂によって、ルーフパネルに残留変形が生じない自動車車体の製造方法を提供することを目的とする。【解決手段】ルーフパネル３とルーフ補強材２との間に熱硬化型接着樹脂としてのマスチック樹脂４を介して接着する接着工程と、前記接着工程後に焼付塗装処理が施される焼付塗装工程と、を備えた自動車車体の製造方法であって、前記焼付塗装工程の間、ルーフパネル３とルーフ補強材２との間にスペーサ７を設置して両者の間隔を固定することを特徴とする。【選択図】図１
2016002935.tif 000002
【特許請求の範囲】
【請求項１】
アルミニウム製ルーフパネルと鋼製ルーフ補強材との間に熱硬化型接着樹脂を介して接着する接着工程と、前記接着工程後に焼付塗装処理が施される焼付塗装工程と、を備えた自動車車体の製造方法であって、
前記焼付塗装工程の間、前記ルーフパネルと前記ルーフ補強材との間にスペーサを設置して両者の間隔を固定することを特徴とする自動車車体の製造方法。
【請求項２】
前記焼付塗装工程後に、前記スペーサを取外すことを特徴とする請求項１に記載の自動車車体の製造方法。
【請求項３】
前記スペーサには、取外すための把手が予め設けられていることを特徴とする請求項２に記載の自動車車体の製造方法。
【請求項４】
前記焼付塗装工程後に、前記スペーサを設置したままにしておくことを特徴とする請求項１に記載の自動車車体の製造方法。
【請求項５】
前記スペーサは、前記ルーフパネルと前記ルーフ補強材との間の車幅方向の中央部のみに設置することを特徴とする請求項１〜４のいずれか１項に記載された自動車車体の製造方法。 
【発明の詳細な説明】
【技術分野】
【０００１】
本発明は、焼付塗装工程後に、硬化した熱硬化型接着樹脂によって、ルーフパネルに残留変形（ここに言う「残留変形」の定義詳細は、後記参照）が生じない自動車車体の製造方法に関する。
【背景技術】
【０００２】
自動車の軽量化のために、ルーフパネルのアルミニウム化が進んでいる（例えば、特許文献１参照）。ところが、自動車の車体構造の主たる部分（特に、ルーフサイドレール）には鋼材が使われている。
【０００３】
したがって、特許文献１において、ルーフパネルのアルミニウム化を進めた場合、ルーフサイドレールにルーフパネルを接合する際、異材接合が必要になるばかりか、焼付塗装工程時に鋼材とアルミニウム材（ここで、アルミニウム材とは、純アルミニウム材とアルミニウム合金材を含めた総称である）の線膨張係数の差に起因して両者の接合箇所およびその近傍に熱変形（塑性歪み）が生じる。この熱変形が焼付塗装工程後も残留し｛すなわち、硬化した（熱硬化型接着樹脂としてのマスチック接着樹脂（以下、単に「マスチック樹脂」とも言う））によって、接着されたルーフパネルに残留変形（図９における符号Ｂで示された破線で囲まれた箇所）を生じさせ｝、ルーフパネルの形状精度に悪影響を与えることがある。さらに、ルーフ補強材までもアルミニウム化した場合、上記問題の多少の改善は認められるものの、残念ながらルーフパネルに上述したような残留変形が発生する虞が依然として残る。
【０００４】
そこで、特許文献１に開示された技術の上述したような問題を少しでも抑えるための解決策として、ルーフ補強材もアルミニウム化した上で、さらにこのルーフ補強材の車体幅方向（長手方向）に、上述した熱膨張差を吸収する屈曲部を設けた構造を採用した技術も知られている（例えば、特許文献２参照）。
【０００５】
別の解決策として、ルーフ補強材もアルミニウム化した上で、さらにこのルーフ補強材に開口を設けた構造を採用した技術も知られている（例えば、特許文献３参照）。
【先行技術文献】
【特許文献】
【０００６】
【特許文献１】特開２００５−２１９５９９号公報
【特許文献２】特許第５０９４６２３号公報
【特許文献３】特許第５１９４７６１号公報
【発明の概要】
【発明が解決しようとする課題】
【０００７】
上記特許文献２および３に開示されたような技術を採用した場合、ルーフパネルとルーフ補強材の間に介在するマスチック樹脂によるルーフパネルの残留変形の改善効果は発揮される。しかし、ルーフ補強材全体としては、弱体化してしまうため、ルーフ補強材に要求される剛性や強度が確保できなくなるといった問題点があった。
【０００８】
本発明の目的は、焼付塗装工程後に、硬化した熱硬化型接着樹脂によって、ルーフパネルに残留変形が生じない自動車車体の製造方法を提供することにある。
【課題を解決するための手段】
【０００９】
この目的を達成するために、第１発明に係る自動車車体の製造方法は、
アルミニウム製ルーフパネルと鋼製ルーフ補強材との間に熱硬化型接着樹脂を介して接着する接着工程と、前記接着工程後に焼付塗装処理が施される焼付塗装工程と、を備えた自動車車体の製造方法であって、
前記焼付塗装工程の間、前記ルーフパネルと前記ルーフ補強材との間にスペーサを設置して両者の間隔を固定することを特徴とする自動車車体の製造方法である。ここに言う「スペーサ」とは、前記ルーフパネルと前記ルーフ補強材との間の『間隔の寸法を規定する機能を有する部分』、前記「間隔の寸法を規定する機能を有する部分」と前記ルーフパネルとが前記焼付塗装工程の間において『離間しないようにする機能を有する第１部分』および前記「間隔の寸法を規定する機能を有する部分」と前記ルーフ補強材とが前記焼付塗装工程の間において『離間しないようにする機能を有する第２部分』の３つの機能部分を有したものである。
【００１０】
また、第２発明に係る自動車車体の製造方法は、第１発明に係る自動車車体の製造方法において、前記焼付塗装工程後に、前記スペーサを取外すことを特徴とする。
【００１１】
また、第３発明に係る自動車車体の製造方法は、第２発明に係る自動車車体の製造方法において、前記スペーサには、取外すための把手が予め設けられていることを特徴とする。
【００１２】
また、第４発明に係る自動車車体の製造方法は、第１発明に係る自動車車体の製造方法において、前記焼付塗装工程後に、前記スペーサを設置したままにしておくことを特徴とする。
【００１３】
また、第５発明に係る自動車車体の製造方法は、第１〜４のいずれかの発明に係る自動車車体の製造方法において、前記スペーサは、前記ルーフパネルと前記ルーフ補強材との間の車幅方向の中央部のみに設置することを特徴とする。
【発明の効果】
【００１４】
以上のように、本発明は、
アルミニウム製ルーフパネルと鋼製ルーフ補強材との間に熱硬化型接着樹脂を介して接着する接着工程と、前記接着工程後に焼付塗装処理が施される焼付塗装工程と、を備えた自動車車体の製造方法であって、
前記焼付塗装工程の間、前記ルーフパネルと前記ルーフ補強材との間にスペーサを設置して両者の間隔を固定することを特徴とする。
【００１５】
このように、スペーサが設置されたことにより、焼付塗装工程における加熱過程で（すなわち、熱膨張時に）、ルーフパネルとルーフ補強材との隙間が著しく広がる（熱変形する）のを防止し、前記隙間を規定寸法に維持することが可能となる。したがって、焼付塗装工程後にも、硬化した熱硬化型接着樹脂によって、ルーフパネルに残留変形を生じさせることがないという作用効果を奏する。
【図面の簡単な説明】
【００１６】
【図１】本発明の実施形態１の自動車車体の製造方法における焼付塗装前の自動車のルーフ構造の模式断面図である。
【図２】同実施形態１の自動車車体の製造方法における焼付塗装前（破線）と焼付塗装時（実線）の形状変化を示す模式断面図である。
【図３】同実施形態１の自動車車体の製造方法における焼付塗装完了後の自動車のルーフ構造の模式断面図である。
【図４】本発明に係る自動車車体の製造方法におけるスペーサおよびマスチック樹脂の設置位置（スペーサは、車幅方向の中央部のみに設置）を説明するための平面視説明図である。
【図５】本発明に係る自動車車体の製造方法におけるスペーサおよびマスチック樹脂の設置位置（車幅方向の複数個所に設置）を説明するための平面視説明図である。
【図６】本発明に係る自動車車体の製造方法における種々のスペーサ形状等を示す模式断面図である。
【図７】従来の自動車車体の製造方法における焼付塗装前の自動車のルーフ構造の模式断面図である。
【図８】従来の自動車車体の製造方法における焼付塗装前（破線）と焼付塗装時（実線）の形状変化を示す模式断面図である。
【図９】従来の自動車車体の製造方法における焼付塗装完了後の自動車のルーフ構造の模式断面図である。
【発明を実施するための形態】
【００１７】
本発明者は、如何にすれば、
ルーフ補強材全体としての弱体化を招くことなく（すなわち、ルーフ補強材に要求される剛性や強度が確保されたまま）、焼付塗装工程後に、硬化した熱硬化型接着樹脂によって、ルーフパネルに残留変形が生じない自動車車体の製造方法を実現することができるか鋭意研究を行った。その結果、以下に説明するような構成を採用することで初めて目的を達成できることを見出した。以下、本発明について、実施形態を例示しつつ、詳細に説明する。
【００１８】
（実施形態１）
図１は本発明の実施形態１の自動車車体の製造方法における焼付塗装前の自動車のルーフ構造の模式断面図、図２は同実施形態１の自動車車体の製造方法における焼付塗装前（破線）と焼付塗装時（実線）の形状変化を示す模式断面図、図３は同実施形態１の自動車車体の製造方法における焼付塗装完了後の自動車のルーフ構造の模式断面図である。なお、図１〜図３においては、本発明に係る自動車のルーフ構造の一部（ルーフパネルとルーフ補強材の各々の片側半部およびルーフサイドレール）を示す。
【００１９】
図１〜図３において、１は車室内を囲む鋼製ボデーの一部である左右のルーフサイドレール、２は車体幅方向に延在する鋼製プレス成形品からなるルーフ補強材、３はアルミニウム合金製ルーフパネル、４は熱硬化型接着樹脂としてのマスチック樹脂、５は上述した「間隔の寸法を規定する機能を有する部分」としての金属製ブロック、６は上述した「離間しないようにする機能を有する第１部分」および上述した「離間しないようにする機能を有する第２部分」としての耐熱性を有するそれぞれ上方および下方の両面テープである。金属製ブロック５は、アルミニウム合金製であり、その形状はルーフパネル３とルーフ補強材２の隙間、スペーサ７（後記詳細）が設置されるルーフ補強材２のフランジ形状（後記詳細）、に合わせた略直方体（厚さ２〜５ｍｍ、幅１０〜３０ｍｍ、長さ１０〜５０ｍｍ）である。また、上方および下方の両面テープ６は、焼付塗装温度でも接着能を有するものであればよく、様々なものが使用可能である。なお、本実施形態の場合、スペーサ７は、上方の両面テープ６、金属製ブロック５および下方の両面テープ６からなる。
【００２０】
また、ルーフサイドレール１、ルーフ補強材２およびルーフパネル３には、それぞれフランジ１ａ、２ａおよび３ａが設けられている。そして、ルーフ補強材２がルーフパネル３の下で上方に凸に湾曲して車体幅方向に延在し、このルーフパネル３とルーフ補強材２を接合するためのマスチック樹脂４がルーフパネル３とルーフ補強材２の間に介在されている。さらに、ルーフパネル３とルーフ補強材２との間には、両者の間隔を固定するスペーサ７が車体幅方向の中央部分のみに設置されている。
【００２１】
また、ルーフサイドレール１のフランジ１ａ上には、ルーフ補強材２のフランジ２ａおよびルーフパネル３のフランジ３ａが重ねられ、ボルトで機械的に接合されている。なお、図１に示す自動車のルーフ構造は、ルーフパネル３｛従来例（図７参照）に示すルーフパネル１３相当｝とルーフ補強材２｛図７に示すルーフ補強材１２相当｝の間に、両者の間隔を固定するスペーサ７が車体幅方向の中央部分に設置された構成である。
【００２２】
次に、図１に示す自動車のルーフ構造を有する鋼製ボデーを、焼付塗装炉に装入して１７０〜２００℃に加熱したときの状態を図２に示す。図２に、自動車のルーフ構造の焼付塗装前（破線）と焼付塗装時（実線）の形状変化を示し、従来例の変形モードと比較しながら以下に説明する。
【００２３】
図２に示される（本発明に係る）スペーサ７が設置されていない場合には、従来例（図８参照）のように、ルーフパネル１３は車体前後方向と車体幅方向の熱膨張分の釣り合いからルーフパネル１３の中央部で車体上方向に持ち上がり、車体幅方向の中央部付近全体が盛り上がった変形モードとなるが、車体幅方向に伸びるルーフ補強材１２は車体幅方向の全体が車体上方向に略一様に少し盛り上がったように変形する。したがって、焼付塗装時（加熱過程の熱膨張時）に車体幅方向の中央部分のルーフパネル１３とルーフ補強材１２との隙間は、焼付塗装前｛すなわち、加熱過程前（熱膨張が発生する前）｝に比べて大幅に広くなる。しかし、本発明においては、図２に示すように、ルーフパネル３とルーフ補強材２との間に、両者の間隔を固定するスペーサ７が設置されているため、従来例（図８参照）のような線膨張係数の差に起因した熱変形（塑性歪み）が生じることはない。
【００２４】
続いて、図２に示す焼付塗装の完了後（すなわち、室温まで冷却させた後）の自動車のルーフ構造の状態を図３に示す。室温まで冷却させると、ルーフパネル３、ルーフ補強材２とルーフサイドレール１が熱収縮し、ルーフパネル３とルーフ補強材２との間の隙間は、両者の間隔を固定するスペーサ７で規定される隙間に戻る（すなわち、図１に示す当初の形状に戻る）。したがって、従来例（図９参照）ならば、焼付塗装工程後に、硬化した（すなわち、極めて硬いバネ特性を有する）マスチック樹脂（１４ａ、１４ｂおよび１４ｃ）によるルーフパネル１３の残留変形（図９における符号Ｂで示された破線で囲まれた箇所）が、本発明の場合は生じない（図３参照）。
【００２５】
なお、本実施形態においては、スペーサ７を構成する金属製ブロック５はアルミニウム合金製である場合について説明したが、これに限定されるものではなく、金属としては鋼、ステンレス、またはゴム等でも焼付塗装温度で著しく剛性や強度の低下しない材質のものであれば広範な材料が使用可能である。また、金属製ブロック５の形状や寸法も、製品仕様に合わせて、ルーフパネル３とルーフ補強材２との間を規定の間隔に固定することができるものであれば、様々なものが使用可能である（詳細は、後記図６にて説明する）。また、この金属製ブロック５は、例えば焼付塗装前に耐熱性を有する上方および下方の両面テープ６を介してルーフパネル３とルーフ補強材２にそれぞれ固定され、焼付塗装後に剥がすことが出来るようにすれば、不要な重量も防止できるというさらなる作用効果を奏する。  
【００２６】
また、本実施形態においては、一体のスペーサ７をルーフパネル３とルーフ補強材２との間に、車体幅方向の中央部分のみに設置する場合について説明したが、これに限定されるものではなく、一体のスペーサ７を車体幅方向の中央部分において複数に分割して設置してもよい（図４参照）。
【００２７】
また、本実施形態においては、一体のスペーサ７をルーフパネル３とルーフ補強材２との間に、車体幅方向の中央部分のみに設置する場合について説明したが、これに限定されるものではない。例えば、一体のスペーサ７を車体幅方向の中央部分含めて、車体幅方向の複数の箇所に設置してもよいし、一体のスペーサ７と分割されたスペーサ７の組合せや分割されたスペーサ７のみの組合せのものを車体幅方向の中央部分含めて、車体幅方向の複数の箇所に設置してもよい（図５参照）。
【００２８】
また、本実施形態においては、熱硬化型接着樹脂としてマスチック樹脂を用いた場合について説明したが、必ずしもこれに限定されるものではなく、熱硬化型樹脂であり、かつ、接着性を有するものであれば種々のものが採用可能である。
【００２９】
また、本実施形態においては、スペーサ７を構成する金属製ブロック５の形状としては、単純な矩形状であり、かつ、ルーフ補強材２の断面形状としても、単純な両フランジ２ｂ付きのＵ字状断面の例について説明したが、必ずしもこれに限定されるものではない。例えば、図６に示すような種々の形状（但し、方向としては、図１に示す矢印Ａの方向から見た形状）を採用可能である。図６（ａ）は両フランジ２ｂ付きのＵ字状断面のルーフ補強材２と左右対称に分割したスペーサ７（上方の両面テープ６、金属製ブロック５および下方の両面テープ６から構成される）の組合せ、図６（ｂ）は両フランジ２ｂ付きのＵ字状断面のルーフ補強材２と左右対称に分割され、さらにフランジ２ｂを嵌入させルーフ補強材２が金属製ブロック５から離間しないように機能させるための溝５ｂ（離間しないようにする機能を有する第２部分）が金属製ブロック５に設けられ、金属製ブロック５の上面には上述した「離間しないようにする機能を有する第１部分」としての上方の両面テープ６が設けられるスペーサ７（上方の両面テープ６と金属製ブロック５から構成される）、図６（ｃ）は基本的に図６（ａ）と図６（ｂ）の折衷案であり、さらにルーフ補強材２の底２ｄに突起２ｅが形成された組合せ、図６（ｄ）は図６（ｂ）の変形であり、さらに金属製ブロック５の端部に取外すための把手５ｃが予め設けられた組合せのスペーサ７、図６（ｅ）は図６（ａ）の変形であり、スペーサ７を構成する金属製ブロック５にテーパが設けられ、取外し易くしたもの、図６（ｆ）は図６（ｅ）の変形であり、図６（ｅ）とは逆の傾斜のテーパが金属製ブロック５に設けられ、取外し難くしたもの（すなわち、スペーサ７を設置したままにしておくもの）、図６（ｇ）は図６（ａ）の変形であり、金属製ブロック５の下端に突起５ｄ、フランジ２ｂに下向きの突起２ｃ｛突起５ｄ（離間しないようにする機能を有する第２部分）を突起２ｃに嵌入させることで金属製ブロック５がルーフ補強材２から離間しない｝、金属製ブロック５の上面とルーフパネル３の間に上述した「離間しないようにする機能を有する第１部分」としての上方の両面テープ６が設けられたもの、図６（ｈ）は基本的に図６（ｂ）と図６（ｇ）の折衷案である。図６において、種々の形状のスペーサ７について説明したが、これもほんの一例であり、様々なものを適用可能である。すなわち、スペーサとしては、上述したように、ルーフパネルとルーフ補強材との間の『間隔の寸法を規定する機能を有する部分』、前記「間隔の寸法を規定する機能を有する部分」と前記ルーフパネルとが焼付塗装工程の間において『離間しないようにする機能を有する第１部分』および前記「間隔の寸法を規定する機能を有する部分」と前記ルーフ補強材とが前記焼付塗装工程の間において『離間しないようにする機能を有する第２部分』の３つの機能部分を有したものであれば、様々なものを適用可能である。
【００３０】
また、本実施形態においては、ルーフサイドレール１のフランジ１ａ上には、ルーフ補強材２のフランジ２ａおよびルーフパネル３のフランジ３ａが重ねられ、ボルトで機械的に接合する例について説明したが、必ずしもこれに限定されるものではない。例えば、リベットなどの機械的接合あるいは溶接接合 (スポット溶接等) を適宜選択、組み合わせて用いることも可能である。
【００３１】
本発明で、ルーフパネルに用いるアルミニウム合金は、製造がしやすく、成形が容易で、強度にも優れたＡＡ乃至ＪＩＳ３０００系、５０００系、６０００系、７０００系等のアルミニウム合金の調質材（熱処理材）を適宜選択して用いる。また、アルミニウムとしては、上述したアルミニウム合金以外の純アルミニウムを対象とすることも可能である。本発明に言う「アルミニウム製」とは、上述のアルミニウム合金と純アルミニウムを含めた総称である。
【符号の説明】
【００３２】
１  ルーフサイドレール
１ａ、２ａ、２ｂ、３ａ  フランジ
２  ルーフ補強材
２ｃ、２ｅ、５ｄ  突起
２ｄ  底
３  ルーフパネル
４  マスチック樹脂
５  金属製ブロック
５ｂ  溝
５ｃ  把手
６  両面テープ
７  スペーサ
【図１】
2016002935.tif 000003
【図２】
2016002935.tif 000004
【図３】
2016002935.tif 000005
【図４】
2016002935.tif 000006
【図５】
2016002935.tif 000007
【図６】
2016002935.tif 000008
【図７】
2016002935.tif 000009
【図８】
2016002935.tif 000010
【図９】
2016002935.tif 000011